(57)【特許請求の範囲】
【請求項１】
始動入賞口と、該始動入賞口に入賞した打玉を検出する始動入賞玉検出手段と、該始動入賞玉検出手段の出力に基づいて表示結果を導出する可変表示装置と、該可変表示装置を含む遊技装置の動作を制御する遊技制御回路基板を内部に収納する基板収納ボックスと、を備えた弾球遊技機において、
前記基板収納ボックスの内部には、前記始動入賞口に入賞した打玉を誘導し且つ前記始動入賞玉検出手段が臨む玉通路を形成する一方、前記始動入賞玉検出手段及び該始動入賞玉検出手段と前記遊技制御回路基板との接続部分を該基板収納ボックスの内部に設けたことを特徴とする弾球遊技機。
【請求項２】
前記基板収納ボックスは、前記遊技制御回路基板を収納する取付基体と蓋体とで構成されると共に、前記蓋体を透明な合成樹脂で形成し、
前記始動入賞玉検出手段及び該始動入賞玉検出手段と前記遊技制御回路基板との接続部分を前記遊技制御回路基板より前記蓋体側に設けることにより前記基板収納ボックスの外部から視認可能な状態で内部に設けたことを特徴とする請求項１記載の弾球遊技機。
【請求項３】
前記基板収納ボックスは、前記遊技制御回路基板を収納する取付基体と蓋体とで構成されると共に、該取付基体と蓋体とを封止するための封止手段を備え、
該封止手段を破壊しない限り前記取付基体と蓋体との取り外しができないことを特徴とする請求項１又は請求項２に記載の弾球遊技機。
【発明の詳細な説明】
【０００１】
【発明の属する技術分野】
本発明は、始動入賞口と、該始動入賞口に入賞した打玉を検出する始動入賞玉検出手段と、該始動入賞玉検出手段の出力に基づいて表示結果を導出する可変表示装置と、該可変表示装置を含む遊技装置の動作を制御する遊技制御回路基板を内部に収納する基板収納ボックスと、を備えた弾球遊技機に関するものである。
【０００２】
【従来の技術】
従来、打玉が始動入賞口に入賞したことを始動入賞玉検出器で検出し、その検出信号に基づいて可変表示装置の表示結果を導出し、その表示結果が予め定めた特定表示結果となったときに大当り遊技状態となって、例えば、可変入賞球装置を繰り返し開放して多数の入賞玉を獲得できるチャンスを付与する弾球遊技機が市場に多数提供されている。このような弾球遊技機にあっては、可変表示装置の表示結果が特定表示結果を表示するか否かを打玉の始動入賞時（始動入賞玉検出器の検出時）に抽出される大当り決定用のランダム数によって決定されていた。この大当り決定用のランダム数は、電源投入時から所定の速度（例えば、２ｍｓｅｃ）で刻々と変化するものである。
【０００３】
【発明が解決しようとする課題】
ところで、近年、始動入賞玉検出器と遊技制御回路基板とを接続する配線の途中に、前記大当り決定用のランダム数と同期して変化するカウンタを内蔵し且つ始動入賞玉検出器からの検出信号を一旦記憶しておき、前記カウンタの値が所定値（前記大当り決定用のランダム数の大当りの数と同じ値）となったときに遊技制御回路基板にその検出信号を送る不正回路基板が接続される不正行為が行われていることがわかった。また、上記のような不正回路基板と同じような不正を働く目的で、例えば、所定の周波数の電波信号があったときに始動信号があったかの如く遊技制御回路基板に送る不正回路基板も用いられていることがわかった。そして、それらの不正回路基板を配線の束の中に隠したりして不正行為が発見され難いようにしていた。本発明は、上記した事情に鑑みなされたもので、始動入賞玉検出手段と遊技制御回路基板との間に不正な回路基板を接続することが不可能な弾球遊技機を提供することにある。
【０００４】
【課題を解決するための手段】
上記した目的を達成するために請求項１の発明が採用した解決手段は、図１、図３及び図４に示すように、始動入賞口４３と、該始動入賞口４３に入賞した打玉を検出する始動入賞玉検出手段としての始動入賞玉検出器９３と、該始動入賞玉検出器９３の出力に基づいて表示結果を導出する可変表示装置４１と、該可変表示装置４１を含む遊技装置の動作を制御する遊技制御回路基板８７を内部に収納する基板収納ボックス８０と、を備えた弾球遊技機１において、前記基板収納ボックス８０の内部には、前記始動入賞口４３に入賞した打玉を誘導し且つ前記始動入賞玉検出器９３が臨む玉通路９０を形成する一方、前記始動入賞玉検出器９３及び該始動入賞玉検出器９３と前記遊技制御回路基板８７との接続部分を該基板収納ボックス８０の内部に設けたことを特徴とするものである。このように構成することにより、始動入賞玉検出器９３及びその配線９４の接続部分であるコネクタ９５が基板収納ボックス８０の内部にあるため、その途中に不正回路基板を介装することは困難となる。
【０００５】
また、請求項２の発明は、図３に示すように、前記基板収納ボックス８０は、前記遊技制御回路基板８７を収納する取付基体８１と蓋体８２とで構成されると共に、前記蓋体８２を透明な合成樹脂で形成し、前記始動入賞玉検出器９３及び該始動入賞玉検出器９３と前記遊技制御回路基板８７との接続部分を前記遊技制御回路基板８７より前記蓋体８２側に設けることにより前記該基板収納ボックス８０の外部から視認可能な状態で内部に設けたことを特徴とするものである。このように構成することにより、仮に不正が行われていても、外部から始動入賞玉検出器９３、配線９４、及びコネクタ９５を視認できるので、容易に不正が行われたか否かを発見することができる。
【０００６】
また、請求項３の発明は、図３、図５乃至図７に示すように、前記基板収納ボックス８０は、前記遊技制御回路基板８７を収納する取付基体８１と蓋体８２とで構成されると共に、該取付基体８１と蓋体８２とを封止するための封止手段（例えば、封印シール１０２、溶着部１０５、ワンウェイネジ１４０）を備え、該封止手段を破壊しない限り前記取付基体８１と蓋体８２との取り外しができないことを特徴とするものである。このように構成することにより、基板収納ボックス８０内に存在する始動入賞玉検出器９３、配線９４、及びコネクタ９５への不正回路基板の取付を行うことが困難となり、仮に、封止手段１０２，１０５，１４０が破損されていれば、不正行為が行われた可能性が高く、不正行為を容易に発見することができる。
【０００７】
【発明の実施の形態】
以下、図面を参照して、本発明の実施形態について説明する。まず、図１及び図２を参照して弾球遊技機１の全体の構成について説明する。図１は、実施形態に係る弾球遊技機１の正面図であり、図２は、弾球遊技機１の背面図である。
【０００８】
弾球遊技機１は、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられるガラス板保持枠４と、から構成されている。枠基体３に設けられる主要構成部としては、ガラス板保持枠４、遊技盤４０、上皿１２、灰皿２１を含む下皿１８、操作ハンドル２２、機構板５０、打球発射装置７１がある。また、図示の実施形態では、弾球遊技機１の側方に遊技者に遊技玉を貸し出すためのカードユニット装置３０が付設されている。
【０００９】
ガラス板保持枠４には、後述する遊技盤４０の遊技領域をほぼ透視し得る円形透視窓５が開設され、該円形透視窓５の裏面からガラス板が装着されている。また、ガラス板保持枠４には、円形透視窓５の外周に沿って、その上部に装飾ＬＥＤ７が、その左右両側方に装飾蛍光灯６ａ・６ｂが設けられている。この装飾ＬＥＤ７や装飾蛍光灯６ａ・６ｂは、遊技状態に応じて点灯又は点滅されるものであり、大当り遊技状態の発生時や継続時を遊技者に報知すると共に遊技の雰囲気を盛り上げるものである。また、ガラス板保持枠４の軸支側上部には、払い出すべく景品玉が不足したことを報知する玉切れＬＥＤ８や、入賞玉の発生に基づいて所定個数の景品玉が払い出されたことを報知する払出ＬＥＤ９が設けられ、更に、ガラス板保持枠４の上部左右に遊技の進行に応じた効果音を発生するスピーカ１０ａ・１０ｂが設けられている。なお、上記した構成のうち、装飾ＬＥＤ７や玉切れＬＥＤ８及び払出ＬＥＤ９は、複数のＬＥＤがプリント配線基板上に実装されるように構成されるものであるが、このプリント配線基板を金属ベースプリント配線基板で構成することにより、ＬＥＤから発生される熱の放熱効果を高めることができる。
【００１０】
次に、ガラス板保持枠４の下部で開閉自在に取り付けられる上皿１２の構成について説明すると、上皿１２は、合成樹脂製の上皿開閉板１１の表面に複数の合成樹脂製部材を組合せた皿部材を固着することにより構成されている。上皿開閉板１１には、その開放側の上端に玉抜き操作レバー１６が設けられている。この玉抜き操作レバー１６は、左右方向に移動可能に設けられ、図示しないスプリングの付勢力に抗して一方向に移動させることにより、上皿１２に貯留されていた玉を上皿開閉板１１の裏面に形成される玉抜き路（図示しない）を流下させて下皿２４に誘導するものである。また、上皿１２には、その内部に圧電ブザー１７が内蔵されている。この圧電ブザー１７は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。
【００１１】
上記した上皿１２について、さらに詳細に説明すると、上皿１２は、その上流側に形成される賞球払出口１４とその下流側に形成される打球供給口１５とを連絡するように貯留整列路１３が形成されており、その貯留整列路１３の中程底面裏面に上皿玉検出器（図示しない）が設けられている。この上皿玉検出器は、上皿１２に残留する打玉を検出するものである。また、上皿１２には、弾球遊技機１に隣接して設けられるカードユニット装置３０を介して遊技玉を借り受ける際に操作する操作部が設けられている。なお、この操作部は、玉貸スイッチ、返却スイッチ、自動玉貸スイッチ、度数表示ＬＥＤ、及び自動玉貸表示ＬＥＤ（共に図示しない）から構成されている。玉貸スイッチは、カードユニット装置３０によって遊技玉を借り受ける際に操作するものである。返却スイッチは、遊技終了の際にカードユニット装置３０のカード挿入口３３に差し込まれたカードを返却するためのものである。度数表示ＬＥＤは、カードユニット装置３０のカード挿入口３３に差し込まれたカードの残額が表示されるものである。また、自動玉貸スイッチは、借り受けるべき遊技玉を前記玉貸スイッチを操作して行うマニュアルモードと、上皿１２の打玉の残量が前記上皿玉検出器によって検出されなくなったときに自動的に遊技玉を払い出す自動モードと、のいずれかのモードに設定するものであり、自動モードが選択設定されているときには、自動玉貸表示ＬＥＤが点灯している。
【００１２】
しかして、後述する遊技盤４０の遊技内容において大当り遊技状態が発生すると、短時間に多量の入賞玉を獲得するチャンスがある。このように大当り遊技状態という遊技者にとって極めて大きなチャンスは、上皿１２の残留玉がほとんどなくなった時点で発生する場合もあり、このような場合、続けて打玉を発射させて打玉を可変入賞球装置４２の特定入賞領域に入賞させる必要があるにも拘らず、打玉が上皿１２に残存しないので、慌てて玉貸スイッチを操作して遊技玉を借り受けなければならない。しかし、玉貸スイッチを操作してから遊技玉が払い出され、しかもその玉が発射されて可変入賞球装置４２の特定入賞領域に到達するまでに多少の時間がかかるため、その時間の間に有利なチャンス（継続権の成立）を逃してしまうという不都合があるが、本実施形態においては、自動玉貸スイッチを自動モードに設定しておけば、上皿玉検出器が打玉の不存在を検出した時点で自動的に遊技玉を上皿１２に払い出すので、上記したような不都合は生じない。なお、上皿１２として上記した制御を行わないならば、上皿玉検出器及び自動玉貸スイッチを省略したものでも良い。
【００１３】
また、枠基体３の下部に取り付けられる下皿１８は、前記上皿１２から溢れた賞球であって余剰玉通路（図示しない）を介して余剰玉払出口１９から排出される余剰の賞球を貯留するものであり、その下皿１８の前面壁には、玉抜き操作レバー２０がスライド可能に取り付けられるようになっている。この玉抜き操作レバー２０を操作することにより、下皿１８に貯留されていた賞球を下方に玉抜きして持ち運び可能な玉箱に移し替えることができる。また、下皿の左側には、灰皿２１が設けられ、右側には、操作ハンドル２２が設けられている。操作ハンドル２２は、後述する打球発射装置７１の発射装置モータ７２の駆動を開始せしめるメインスイッチ及びタッチアンテナ（共に図示しない）を内蔵していると共に、打玉の弾発力を調節するものである。
【００１４】
弾球遊技機１の正面構造は、概ね上記した通りであるが、図示の実施形態では、弾球遊技機１にカードユニット装置３０が隣接されている。このカードユニット装置３０は、前記上皿１２の上面に設けられる前述した操作部を操作することにより作動されるものである。しかして、カードユニット装置３０は、使用可能状態であるか否かを表示する使用可能表示器３１と、当該カードユニット装置３０がいずれの側の弾球遊技機１に対応しているか否かを表示する連結台方向表示器３２と、記録媒体としての磁気カードを挿入するカード投入口３３とが設けられている。そして、このように構成されるカードユニット装置３０は、独自の制御回路によって制御されるものであるが、上皿１２に設けられる玉貸スイッチ、返却スイッチ、及び度数表示ＬＥＤや、後述する制御基板カバー６５内に収納された賞球払出制御基板６４と接続されている。なお、カードユニット装置３０を弾球遊技機１に内蔵しても良い。また、本実施形態においては、遊技者に遊技玉を貸し出すためのユニット装置としてカードユニット装置３０を例示したが、例えば、紙幣等を挿入し得るユニット装置であっても良い。
【００１５】
次に、遊技盤４０の正面構造について説明すると、遊技盤４０は、前記枠基体３の裏面側に一体的に形成される遊技盤収納枠（図示しない）に収納固定されるべく、ほぼ正方形状の合板により形成され、その表面には、円形うず巻き状に誘導レール（図示しない）が取り付けられ、該誘導レールの内側が遊技領域とされて発射された打玉が落下するものである。遊技領域には、図示の場合、可変表示装置としてのドラム式可変表示装置４１や遊技装置としての可変入賞球装置４２やドラム式可変表示装置４１の可変表示を許容する始動入賞口４３が設けられると共に、単に打玉を入賞とする入賞口４４・４５、打玉の流下方向及び速度を変化せしめる風車又は多数の障害釘が設けられ、また、遊技領域の最下方には、いずれの入賞領域にも入賞しない打玉が取り込まれるアウト口４６が設けられている。なお、可変表示装置としては、上記した機械的なドラム式可変表示装置４１に限定されるものではなく、液晶やドットマトリックスタイプの電気的な可変表示装置であってもよい。
【００１６】
一方、弾球遊技機１の裏面側には、図２に示すように、機構板５０が開閉自在に設けられている。機構板５０の中央には、窓開口５１が開設され、該窓開口５１からは、前記遊技盤４０の裏面に取り付けられた入賞玉集合カバー体５２が貫通されている。入賞玉集合カバー体５２には、中継基板５３と、前記ドラム式可変表示装置４１の駆動態様を制御するドラム表示制御回路基板５４と、が設けられている。なお、各基板５３・５４は、相互間で電気的に接続されている。また、中継基板５３には、遊技盤４０上の各種電気部品が接続されると共に、後述する遊技制御回路基板８７が接続されている。一方、ドラム表示制御回路基板５４には、前記可変表示装置４１に含まれる各種電気部品（ドラムモータ、ドラムランプ、ドラムセンサ等）が接続されると共に、遊技制御回路基板８７が接続されている。
【００１７】
また、前記機構板５０には、発生した入賞玉に基づいて所定個数の賞球を払い出す玉タンク５５と、賞球払出装置５６と、玉タンク５５内の玉を賞球払出装置５６に送る玉整列レール５７、カーブ樋５８、及び通路体５９と、玉止め部材６１、入賞玉排出ソレノイド６２及び入賞玉検出器６３を備えた入賞玉処理装置６０と、遊技制御回路基板８７を収納した基板収納ボックス８０と、賞球払出制御基板６４を被覆した制御基板カバー６５と、ユニット中継基板６６を被覆した中継基板カバー６７と、ターミナル基板６８を収納したターミナル基板ボックス６９と、が設けられている。遊技制御回路基板８７は、ＣＰＵ、ＲＡＭ、及びＲＯＭを備えてドラム式可変表示装置４１や可変入賞球装置４２等の遊技装置の遊技動作を制御するものである。賞球払出制御基板６４は、賞球払出装置５６の動作を制御するものである。ユニット中継基板６６は、弾球遊技機１とカードユニット装置３０との配線を中継するものである。ターミナル基板６８は、遊技制御回路基板８７に電源を供給するものである。また、弾球遊技機１の裏面には、上記した機構板５０以外の領域に、装飾制御基板７０を収納した装飾制御基板ボックス７１と、発射装置モータ７３を備えた打球発射装置７２とが設けられている。装飾制御基板７０は、遊技制御回路基板８７からの指令又はデータに基づいて弾球遊技機１の前面に設けられる電気的装飾部品（前記装飾蛍光灯６ａ，６ｂ、装飾ＬＥＤ７、スピーカ１０ａ，１０ｂ等）の動作を制御するものである。
【００１８】
なお、上記した各種基板及び装置には、所定の配線を接続するためのコネクタが設けられており、特に、ターミナル基板ボックス６９に収納されるターミナル基板６８は、遊技制御回路基板８７に電源を供給するだけでなく、弾球遊技機１に設けられる各種電気的装置、例えば、上記した各基板及び打球発射装置７２にも電源を供給すると共に、弾球遊技機１の内部での信号線の中継、あるいは弾球遊技機１と外部との信号線の中継を行うための端子も設けられている。
【００１９】
機構板５０に設けられる上記した構成のうち、遊技制御回路基板８７を収納する基板収納ボックス８０は、本実施形態の要部を構成するもので、前記始動入賞口４３に入賞した打玉をその内部に導いて検出する構造となっている。この構造について、以下、図３及び図４を参照して説明する。図３は、基板収納ボックス８０の取付状態を示す斜視図であり、図４は、基板収納ボックス８０を機構板５０に取り付けた状態での断面図である。
【００２０】
基板収納ボックス８０は、図３に示すように、前記遊技制御回路基板８７を内部に収納する蓋体８２及び取付基体８１の組付体からなり、この組付体が取付台１１０を介して前記機構板５０に取り付けられて構成される。取付基体８１は、導電性の合成樹脂によって上面が開放したボックス状に形成され、その底面裏側に取付台１１０に形成される係合レール１１１と係合する係合レール８３が突設形成されている。また、取付基体８１の底面には、内部を透視し得る開口（図示しない）が形成されるが、その開口を閉塞するように底面の内側に透明底板８４が積層状に設けられている。図示の場合には、細長い開口（図４の縦方向に沿った開口が複数個設けられている）を閉塞するように透明底板８４が積層状に設けられているが、この透明底板８４は、取付基体８１の内側四隅に突設される取付ボス８５を貫通させた後、該取付ボス８５に間隔保持筒８６を遊嵌し、更にその後、遊技制御回路基板８７を取付ボス８５に当接させてビスで止着することにより、取付基体８１の底面に当接した状態で取り付けられるものである。
【００２１】
上記した取付ボス８５に取り付けられる遊技制御回路基板８７は、周知のように、その一側面にマイクロコンピュータを構成するＣＰＵ、ＲＯＭ、ＲＡＭ等の電子部品やコネクタ１０４等の接続部品が実装されている。図示の実施形態の場合には、幅方向の上部領域がコネクタ実装領域として構成され、そのコネクタ実装領域の下方部が電子部品実装領として形成されている。そして、蓋体８２を取付基体８１に組み付けた状態では、コネクタ実装領域が外部に露出した状態であるコネクタ接続領域１０３となるものである。
【００２２】
ところで、本実施形態における遊技制御回路基板８７には、幅方向垂直状に打玉が通過し得る玉通路９０が取り付けられている。具体的には、玉通路９０は、平板長方形状の玉通路構成第１部材８８と、該玉通路構成第１部材８８によってその一側が閉塞される断面コ字状の玉通路構成第２部材８９とによってパチンコ玉が内部を上から下に向かって落下する通路として構成される。玉通路構成第１部材８８は、透明な合成樹脂で形成されその上下に突設される取付片９６によって遊技制御回路基板８７から僅かに浮いた状態でビス止めされ、また、玉通路構成第２部材８９も透明な合成樹脂で形成されその上下に突設される取付片９７によって遊技制御回路基板８７から僅かに浮いた状態でビス止めされている。また、玉通路９０は、遊技制御回路基板８７の幅方向にほぼ全長に亘って形成されている。そして、上記のように構成される玉通路９０のほぼ中程には、始動入賞玉検出手段としての始動入賞玉検出器９３が玉通路構成第１，第２部材８８，８９の凹部９１，９２に係止されて取り付けられている。図示の実施形態においては、始動入賞玉検出器９３として近接スイッチを使用しているが、マイクロスイッチやフォトスイッチ等であってもよい。特に、フォトスイッチの場合には、遊技制御回路基板８７に直接実装することができるので、その途中に不正回路基板を接続することがより困難となる。また、始動入賞玉検出器９３から延びる配線９４は、コネクタ９５によって遊技制御回路基板８７に接続されている。
【００２３】
上記のように構成される遊技制御回路基板８７が取付基体８１に取り付けられた状態で蓋体８２がコネクタ接続領域１０３を除く電子部品実装領域を被覆するように組み付けられる。蓋体８２は、内部が透視し得る透明な合成樹脂によって平板状に形成され、その上辺に沿って折り曲げられた折曲辺部８２ａによって電子部品実装領域とコネクタ実装領域とが区画されている。折曲辺部８２ａには、前記玉通路９０に対応する位置に切欠開口９８が形成され、蓋体８２を取付基体８１にスムーズに取付得るようになっている。
【００２４】
ところで、蓋体８２の取付基体８１への取付構造は、蓋体８２の両側辺及び下辺の外側に適宜間隔を置いて直角状に折り曲げ形成される係止片１０１と該係止片１０１とで取付基体８１の上辺部を挟持するように蓋体８２の内面外周に沿って適宜間隔を置いて突設される案内リブ１００とによって取り付けられるものである。場合によっては、案内リブ１００の外側面に接着剤等を塗布した後に案内リブ１００と係止片１０１とで取付基体８１の上辺を挟持させることにより、その後、蓋体８２を取り外すことが困難となるようにしてもよい。接着剤を使用する場合であっても使用しない場合であっても、蓋体８２を取付基体８１に取り付けた状態では、蓋体８２と取付基体８１との間に差し渡される封印シール１０２を貼付することが望ましい。封印シール１０２としては、剥した痕跡が明確に残存するホログラムシール等が考えられる。ホログラムシールは、ホログラム層と光反射層と接着剤層とを備え、ホログラム層に形成されるホログラム図柄を偽造困難な図柄に構成することで、不正行為に伴うシールの貼り替えを防止するようになっている。このホログラム図柄は、ホログラムシールの表面に入射したコヒーレント光（レーザー光）がホログラム層のエンボス面を透して光反射層に入り、光反射層からホログラム干渉光としてホログラムシールの外方に反射されることで形成される。また、ホログラムシールを剥した場合は、もう一度貼り直してもホログラム図柄が元の形状にならないので、剥した痕跡が確実に残る。もちろん、痕跡が残存するシールであれば、ホドグラムシール以外のものでも良い。
【００２５】
上記のようにして蓋体８２を取付基体８１に取り付けた状態では、始動入賞玉検出器９３とその配線９４、及び始動入賞玉検出器９３と遊技制御回路基板８７とを接続するコネクタ９５とが取付基体８１と蓋体８２とで構成される空間の内部に収納配置された状態となるため、外部からそれらに触れることはできない。このため、始動入賞玉検出器９３と遊技制御回路基板８７とを結ぶ配線９４の途中に不正回路基板を介装することができない。仮に、不正回路基板を介装しようとすれば、蓋体８２を取付基体８１から取り外さなければならないが、蓋体８２を取り外した場合には、封印シール１０２にその痕跡が残るため、不正行為が行われたか否かが容易にわかる。また、蓋体８２が透明な合成樹脂で形成されているので、始動入賞玉検出器９３の配線９４とコネクタ９５部分が外部から容易に視認できるため、仮にこの部分に不正回路基板が介装されていれば、外部から容易に発見することができる。なお、蓋体８２の透明な部分は、必ずしも全体である必要はなく、例えば、始動入賞玉検出器９３と配線９４とコネクタ９５が視認できる部分だけ（その他にＲＯＭも視認できる必要がある）でも良い。
【００２６】
次に、上記した基板収納ボックス８０を機構板５０に取り付けるための取付台１１０について図３を参照して説明する。取付台１１０は、図３に示すように、合成樹脂（金属でもよい）によって形成された長方形板からなり、その基板中央には断面逆Ｌ字状をなす一対の係合レール１１１が所定間隔を置いて条設されている。なお、係合レール１１１の条設方向は、取付台１１０の長辺部に沿った左右方向となっている。取付台１１０の各長辺部（前後端縁）には、基板面に対して直交するガイド片１１２が突設されている。取付台１１０の右側端部には、弾性変形する解除レバー１１４が形成されており、該解除レバー１１４の基部には、取付基体８１に形成される係止穴（図示しない）と係合する係合突起１１３が突設されている。また、取付台１１０の基板面には、機構板５０側の取付ボス１１６に取付台１１０をビス止めするための止め穴１１５が穿設されている。
【００２７】
しかして、上記した取付台１１０は、止め穴１１５及び取付ボス１１６を介して機構板５０にビス止めされることで機構板５０上の所定部位に固定される。また、この取付台１１０に基板収納ボックス８０を取り付けるときには、取付台１１０に対してボックス８０を左側方からスライド装着させる。このとき、取付台１００側の係合レール１１１は、ボックス８０側の係合レール８３と係合した状態にあり、ガイド片１１２は、ボックス８０のスライド移動を案内する。そして、このようなボックス８０のスライド移動によって取付台１１０側の解除レバー１１４が下方に弾性変形し、遂には、ボックス８０側の係止穴が取付台１１０側の係合突起１１３と係合してボックス８０の装着が完了する。一方、基板収納ボックス８０を取付台１１０から取り外すときには、解除レバー１１４を下方に押して係止穴と係合突起１１３との係合を解除し、この状態からボックス８０を左側方にスライドさせることで簡単に取り外すことができる。即ち、基板収納ボックス８０は、機構板５０にビス止め固定された取付台１１０に対して着脱自在な構成となっている。
【００２８】
上記のようにして、基板収納ボックス８０を機構板５０に取り付けた状態では、前記始動入賞口４３に入賞した打玉が基板収納ボックス８０に形成される前記玉通路９０に導かれて始動入賞玉検出器９３を作動させる。この構成について図２及び図４を参照して説明すると、前記始動入賞口４３の配設位置に対応する裏面には、前記入賞玉集合カバー体５２に連絡通路１２４が形成され、該連絡通路１２４の後端開口に上部玉誘導通路体１２０が連通するように取り付けられている。上部玉誘導通路体１２０は、導電性合成樹脂又は通常の合成樹脂によって成形されるコ字状に形成される第１構成部材１２１の開放面を平板状の第２構成部材１２２で閉塞して断面正方形状の通路体として構成されるものであり、その基部に形成される取付片１２３（図２参照）を入賞玉集合カバー体５２の裏面に止着することにより固定されている。なお、上部玉誘導通路体１２０の末端は、ほぼ直角状に折曲されて前記玉通路９０の上端に臨むようになっている。
【００２９】
一方、前記玉通路９０の下端開口が臨む切欠開口９９（この切欠開口９９は、前記取付基体８１の下部側壁に形成されている）に対応する位置には、下部玉誘導通路体１３０が取り付けられている。この下部玉誘導通路体１３０は、導電性合成樹脂又は通常の合成樹脂によって成形されるコ字状に形成される第１構成部材１３１の開放面を平板状の第２構成部材１３２で閉塞して断面正方形状の通路体として構成されるものであり、その基部に形成される取付片１３３（図２参照）を機構板５０の裏面に止着することにより固定されている。なお、下部玉誘導通路体１３０の末端は、機構板５０の前面側の下部に傾斜状に突設されて発生した入賞玉の全てを前記入賞玉処理装置６０に導く入賞玉集合樋７４の上方に開設された出口１３４に連通するようになっている。なお、下部玉誘導通路体１３０の末端を必ずしも機構板５０に臨ませる必要はなく、例えば、入賞玉集合カバー体５２に臨ませてもよく、最終的に入賞玉集合樋７４に導かれるようにすれば良い。
【００３０】
しかして、基板収納ボックス８０を機構板５０に取り付けた状態では、始動入賞口４３に入賞した打玉が連絡通路１２４、上部玉誘導通路体１２０を介して基板収納ボックス８０内に位置する玉通路９０に導かれ、その玉通路９０の途中に臨んでいる始動入賞玉検出器９３を作動させた後、下部玉誘導通路体１３０を介して機構板５０の入賞玉集合樋７４に放出され、その後、入賞玉処理装置６０に導かれて所定の賞球が払い出されるようになっている。
【００３１】
以上、本実施形態の構成及び作用について説明してきたが、本実施形態によれば、基板収納ボックス８０には、始動入賞口４３に入賞した打玉を誘導し且つ始動入賞玉検出器９３が臨む玉通路９０を形成する一方、始動入賞玉検出器９３及び該始動入賞玉検出器９３と遊技制御回路基板８７との接続部分を該基板収納ボックス８０の内部に外部から視認可能な状態で設けたので、始動入賞玉検出器９３及びその配線９４の接続部分であるコネクタ９５が基板収納ボックス８０の内部にあるため、その途中に不正回路基板を介装することは困難であり、仮に不正が行われていても、外部から始動入賞玉検出器９３、配線９４、及びコネクタ９５を視認できるので、容易に不正が行われたか否かを発見することができる。
【００３２】
また、基板収納ボックス８０は、遊技制御回路基板８７を収納する取付基体８１と蓋体８２とで構成されると共に、該取付基体８１と蓋体８２とを取り外したことが容易にわかる封印シール１０２で封止したので、基板収納ボックス８０内に存在する始動入賞玉検出器９３、配線９４、及びコネクタ９５への不正回路基板の取り付けを行うことが困難となり、仮に、封止シール１０２が破損されていれば、不正行為が行われた可能性が高く、不正行為を容易に発見することができる。
【００３３】
なお、上記した実施形態においては、基板収納ボックス８０の取付基体８１と蓋体８２とを封止する封止手段として封印シール１０２を例示したが、この封印シール１０２の機能としては、取付基体８１と蓋体８２とを取り外したことが痕跡から容易にわかるということであるのに対し、取付基体８１と蓋体８２とを取り外すことが困難な封止手段でも良い。このような封止手段として図５に示す溶着部１０５や図６及び図７に示すワンウェイネジ１４０がある。図５は、取付基体８１と蓋体８２との封止手段としての溶着部１０５の概略を示す断面図であり、図６は、取付基体８１と蓋体８２との封止手段としてワンウェイネジ１４０を用いたときの断面図であり、図７は、ワンウェイネジ１４０の作用を説明するための図面である。
【００３４】
図５において、封止手段として溶着部１０５によって取付基体８１と蓋体８２とを封止する場合には、取付基体８１と蓋体８２との当接部である案内リブ１００の部分を溶剤によって溶着又は超音波溶着装置（図示しない）によって超音波を当てて当接部分を熱溶着させて溶着部１０５を形成するものである。この場合には、溶着部１０５を破壊しない限り取付基体８１と蓋体８２とを取り外すことができないので、それらの取り外しが困難であると共に、破壊されていれば、不正行為を行われた蓋然性が高く、不正行為を容易に発見することができる。
【００３５】
一方、図６に示すように、封止手段としてのワンウェイネジ１４０を蓋体８２に穿設された貫通穴８２ａに差し込んで取付基体８１の取付穴８１ａに螺合することにより、蓋体８２と取付基体８１とを封止することができる。この場合において、ワンウェイネジ１４０は、ネジ締め方向にしか回らない特殊なネジであり、一旦締め付けるとネジを破壊しない限り取り外すことができない。具体的には、図７（Ａ）（Ｂ）に示すように、その頭部１４１に設けられたネジ溝が当接面部１４２と凹部１４３と中心穴部１４４とから構成されている。そして、図７（Ｃ）（Ｄ）に示す特殊マイナスドライバー１４５でネジ１４０締めを行う場合には、ドライバー１４５の中心軸部１４６を中心穴部１４４に差し込み、この状態からドライバー１４５の当接片部１４７を当接面部１４２に当接させて一方向（図７（Ａ）の時計回り方向）に頭部１４１を回転させることでネジ１４０締めを行う。一方、ドライバー１４５で頭部１４１を他方向（図７（Ａ）の反時計回り方向）に回転させてネジ１４０を取り外そうとした場合には、ドライバー１４５が凹部１４３に入り込んで滑ってしまい頭部１４１を回転させることができずにネジ１４０の取り外しが行えない。なお、通常のマイナスドライバーでも頭部１４１を一方向に回転させてネジ１４０締めすることは可能であるが、特殊マイナスドライバー１４５のように、中心軸部１４６をワンウェイネジ１４０の中心穴部１４４に差し込んでワンウェイネジ１４０との位置決めを行った方が締め付け作業が容易に行えるものである。このように、ワンウェイネジ１４０を使用した場合にもネジ１４０を破壊しない限り取付基体８１と蓋体８２とを取り外すことができないので、それらの取り外しが困難であると共に、破壊されていれば、不正行為を行われた蓋然性が高く、不正行為を容易に発見することができる。
【００３６】
なお、上記した溶着部１０５及びワンウェイネジ１４０によって蓋体８２と取付基体８１との取り外しが困難である場合には、監督官庁によるＲＯＭ等の検査も行えなくなるため、この検査を行うことができるように、当初の溶着部１０５及びワンウェイネジ１４０締着部を破壊し易い構造としておき、正当な検査のときには、当初の溶着部１０５及びワンウェイネジ１４０締着部を破壊して検査し、その後、予備的に形成される溶着部を溶着し又は締着部をワンウェイネジ１４０で締着して、破壊した部分に検査済である証明シールを貼付することができるようにしてもよい。つまり、複数回固着できる構造としても良い。
【００３７】
また、上記した実施形態では、玉通路９０を基板収納ボックス８０の中央部を貫通するように形成したものを示したが、基板収納ボックス８０の外周に沿って形成されていてもよい。また、基板収納ボックス８０を取付台１１０を介して機構板５０に着脱自在に装着するものを示したが、機構板５０に形成される取付部に基板収納ボックス８０を直接装着できるような構造のものでも良い。この場合、着脱字材も取り付けるようにしてもよいが、基板収納ボックス８０全体をよく似た贋物と交換される不正を防止するために、機構板５０と基板収納ボックス８０との取付状態が困難となる構造（例えば、上記したワンウェイネジ等）としてもよい。
【００３８】
【発明の効果】
以上、説明したところから明らかなように、本発明の請求項１においては、始動入賞口と、該始動入賞口に入賞した打玉を検出する始動入賞玉検出手段と、該始動入賞玉検出手段の出力に基づいて表示結果を導出する可変表示装置と、該可変表示装置を含む遊技装置の動作を制御する遊技制御回路基板を内部に収納する基板収納ボックスと、を備えた弾球遊技機において、前記基板収納ボックスの内部には、前記始動入賞口に入賞した打玉を誘導し且つ前記始動入賞玉検出手段が臨む玉通路を形成する一方、前記始動入賞玉検出手段及び該始動入賞玉検出手段と前記遊技制御回路基板との接続部分を該基板収納ボックスの内部に外部から視認可能な状態で設けたので、始動入賞玉検出手段及びその配線の接続部分が基板収納ボックスの内部にあるため、その途中に不正回路基板を介装することは困難となる。
【００３９】
また、請求項２の発明は、前記基板収納ボックスは、前記遊技制御回路基板を収納する取付基体と蓋体とで構成されると共に、前記蓋体を透明な合成樹脂で形成し、前記始動入賞玉検出手段及び該始動入賞玉検出手段と前記遊技制御回路基板との接続部分を前記遊技制御回路基板より前記蓋体側に設けることにより前記基板収納ボックスの外部から視認可能な状態で内部に設けたので、仮に不正が行われていても、外部から始動入賞玉検出手段、配線、及び接続部分を視認できるので、容易に不正が行われたか否かを発見することができる。
【００４０】
また、請求項３の発明は、前記基板収納ボックスは、前記遊技制御回路基板を収納する取付基体と蓋体とで構成されると共に、該取付基体と蓋体とを封止するための封止手段を備え、該封止手段を破壊しない限り前記取付基体と蓋体との取り外しができないので、基板収納ボックス内に存在する始動入賞玉検出手段、配線、及び接続部分への不正回路基板の取付を行うことが困難となり、仮に、封止手段が破損されていれば、不正行為が行われた可能性が高く、不正行為を容易に発見することができる。
【図面の簡単な説明】
【図１】  本発明の一実施形態における弾球遊技機を示す正面図である。
【図２】  弾球遊技機を示す背面図である。
【図３】  基板収納ボックスの取付状態を示す斜視図である。
【図４】  基板収納ボックスを機構板に取り付けた状態での断面図である。
【図５】  取付基体と蓋体との封止手段としての溶着部の概略を示す断面図である。
【図６】  取付基体と蓋体との封止手段としてワンウェイネジを用いたときの断面図である。
【図７】  ワンウェイネジの作用を説明するための図面である。
【符号の説明】
１  弾球遊技機
４０  遊技盤
４１  ドラム式可変表示装置（可変表示装置）
４３  始動入賞口
５０  機構板
８０  基板収納ボックス
８１  取付基体
８２  蓋体
８７  遊技制御回路基板
８８  玉通路構成第１部材
８９  玉通路構成第２部材
９０  玉通路
９３  始動入賞玉検出器（始動入賞玉検出手段）
９４  配線
９５  コネクタ（接続部分）
１０２  封印シール（封止手段）
１０５  溶着部（封止手段）
１２０  上部玉誘導通路体
１３０  下部玉誘導通路体
１４０  ワンウェイネジ（封止手段）
【図１】
0004166303.tif 000002
【図２】
0004166303.tif 000003
【図３】
0004166303.tif 000004
【図４】
0004166303.tif 000005
【図５】
0004166303.tif 000006
【図６】
0004166303.tif 000007
【図７】
0004166303.tif 000008